【手続補正書】
【提出日】平成19年2月14日(2007.2.14)
【手続補正１】
【補正対象書類名】明細書
【補正対象項目名】特許請求の範囲
【補正方法】変更
【補正の内容】
【特許請求の範囲】
【請求項１】  配列番号１のヌクレオチド配列を含んでなる老化誘導リパーゼをコードする単離されたＤＮＡ分子。
【請求項２】  配列番号１のヌクレオチド配列の相補体と高ストリンジェンシー条件下でハイブリダイゼーションする、老化誘導リパーゼをコードする単離されたＤＮＡ分子。
【請求項３】  配列番号４のヌクレオチド配列を含んで成る、請求項２に記載の単離されたＤＮＡ分子。
【請求項４】  高ストリンジェンシーの条件下に配列番号１のヌクレオチド配列とハイブリダイゼーションするヌクレオチド配列によりコードされる単離された老化誘導リパーゼ。
【請求項５】  アミノ酸配列番号２のアミノ酸配列を有する、請求項４に記載の老化誘導リパーゼ。
【請求項６】  （ａ）配列番号１のヌクレオチド配列の相補体と高ストリンジェンシー条件下でハイブリダイゼーションする、老化誘導リパーゼをコードする単離されたＤＮＡ分子；及び
（ｂ）前記ＤＮＡ分子に作用可能に連鎖された調節配列；
を含んでなるベクター。
【請求項７】  （ａ）配列番号１のヌクレオチド配列を含んでなる老化誘導リパーゼをコードする単離されたＤＮＡ分子；及び
（ｂ）前記ＤＮＡ分子に作用可能に連鎖された調節配列；
を含んでなるベクター。
【請求項８】  （ａ）配列番号１のヌクレオチド配列に対しアンチセンスであるアンチセンスオリゴ−又はポリヌクレオチド；及び
（ｂ）当該アンチセンスオリゴ−又はポリヌクレオチドが形質転換すべき植物細胞の中で発現できるよう当該アンチセンスオリゴ−又はポリヌクレオチドに作用可能に連鎖された調節配列、
を含んでなるベクター。
【請求項９】  （ａ）内因性老化誘導リパーゼをコードするＤＮＡ分子と９０％以上の類似性を有し、かつ配列番号１のヌクレオチド配列の相補体と高ストリンジェンシー条件下でハイブリダイゼーションするヌクレオチド配列に対しアンチセンスであるアンチセンスオリゴ−又はポリヌクレオチド；及び
（ｂ）当該アンチセンスオリゴ−又はポリヌクレオチドが形質転換すべき植物細胞の中で発現し、当該植物の中で老化誘導リパーゼの発現を阻害又は抑制できるよう当該アンチセンスオリゴ−又はポリヌクレオチドに作用可能に連鎖された調節配列、
を含んでなるベクター。
【請求項１０】  調節配列がプロモーター及び転写終止領域を含んでなる、請求項８又は９に記載のベクター。
【請求項１１】  調節配列が構成的プロモーターを含んでなる、請求項８又は９に記載のベクター。
【請求項１２】  調節配列が植物組織特異的プロモーターを含んでなる、請求項８又は９に記載のベクター。
【請求項１３】  調節配列が老化誘導植物プロモーターを含んでなる、請求項８又は９に記載のベクター。
【請求項１４】  調節配列がウイルスプロモーターを含んでなる、請求項８又は９に記載のベクター。
【請求項１５】  調節配列が構成的プロモーターを含んでなる、請求項１４に記載のベクター。
【請求項１６】  内因性老化誘導リパーゼをコードするＤＮＡ分子と９０％以上の類似性を有し、かつ配列番号１のヌクレオチド配列の相補体と高ストリンジェンシー条件下でハイブリダイゼーションするヌクレオチド配列に対しアンチセンスであるアンチセンスオリゴクレオチド又はポリヌクレオチド。
【請求項１７】  前記オリゴクレオチド又はポリヌクレオチドが約６〜１００個のヌクレオチドを含んでなる、請求項１６に記載のアンチセンスオリゴクレオチド又はポリヌクレオチド。
【請求項１８】  前記ＤＮＡ分子が配列番号１に記載のヌクレオチド配列を含んでなるコード領域を有する、請求項１６に記載のアンチセンスオリゴクレオチド又はポリヌクレオチド。
【請求項１９】  前記老化誘導リパーゼがカーネーションリパーゼである、請求項１６に記載のアンチセンスオリゴヌクレオチドまたはポリヌクレオチド。
【請求項２０】  前記老化誘導リパーゼがトマトリパーゼである、請求項１６に記載のアンチセンスオリゴヌクレオチドまたはポリヌクレオチド。
【請求項２１】  前記老化誘導リパーゼがインゲン（ｇｒｅｅｎ  ｂｅａｎ）リパーゼである、請求項１６に記載のアンチセンスオリゴヌクレオチドまたはポリヌクレオチド。
【請求項２２】  内因性老化誘導リパーゼをコードするＤＮＡ分子の５’非コーディング領域と９０％以上の類似性を有する、請求項１６に記載のアンチセンスオリゴヌクレオチドまたはポリヌクレオチド。
【請求項２３】  植物中の内因性老化誘導リパーゼの発現を阻害する方法であって：
（１）請求項８又は９に記載のベクターを植物ゲノムに組み込み；そして
（２）当該植物を成長させ、これにより前記アンチセンスオリゴ−又はポリヌクレオチドを転写させて内因性誘導リパーゼ遺伝子に結合させることで当該老化誘導リパーゼの発現を阻害する、
ことを含んでなる方法。
【請求項２４】  前記アンチセンスオリゴヌクレオチドまたはポリヌクレオチドがハイブリダイゼーションするＤＮＡの部分が５’非コーディング配列を含んでなる、請求項２３に記載の方法。
【請求項２５】  前記阻害が植物の変更された老化を生ずる、請求項２３に記載の方法。
【請求項２６】  前記阻害が環境的ストレス誘導老化に対する前記植物の耐性を増加させる、請求項２３に記載の方法。
【請求項２７】  調節配列が植物において活性である構成的プロモーターを含んでなる、請求項２３に記載の方法。
【請求項２８】  調節配列が二重３５Ｓプロモーターを含んでなる、請求項２３に記載の方法。
【請求項２９】  調節配列が植物において活性である組織特異的プロモーターを含んでなる、請求項２３に記載の方法。
【請求項３０】  調節配列が植物において活性である老化誘導プロモーターを含んでなる、請求項２３に記載の方法。
【請求項３１】  前記植物が結実植物、顕花植物及び野菜から成る群より選択される、請求項２３に記載の方法。
【請求項３２】  植物がトマトである、請求項２３に記載の方法。
【請求項３３】  植物がカーネーションである、請求項２３に記載の方法。
【請求項３４】  （１）植物の少なくとも１個の細胞ゲノムの中に以下を含んでなるベクターを組込み、
（Ａ）配列番号１のヌクレオチド配列の相補体と高ストリンジェンシー条件下でハイブリダイゼーションする、外因性老化誘導リパーゼをコードする単離されたＤＮＡ分子；
（Ｂ）前記ＤＮＡ分子によりコードされる前記外因性老化誘導リパーゼが発現されるように当該ＤＮＡ分子に作用可能に連鎖された調節配列；そして
（２）前記植物を成長させることにより前記外因性老化誘導リパーゼをコードするＤＮＡ分子を過剰発現させ、当該ＤＮＡ分子の過剰発現が当該外因性老化リパーゼ遺伝子の発現阻害させる；
を含んでなる方法。
【請求項３５】  調節配列が構成的プロモーターを含んでなる、請求項３４に記載の方法。
【請求項３６】  （１）植物の少なくとも１個の細胞ゲノムの中に以下を含んでなるベクターを組込み、
（Ａ）配列番号１のヌクレオチド配列を含んでなる外因性老化誘導リパーゼをコードする単離されたＤＮＡ分子；及び
（Ｂ）前記ＤＮＡ分子によりコードされる前記外因性老化誘導リパーゼが発現されるように当該ＤＮＡ分子に作用可能に連鎖された調節配列；そして
（２）前記植物を成長させることにより前記外因性老化誘導リパーゼをコードするＤＮＡ分子を過剰発現させ、当該ＤＮＡ分子の過剰発現が当該外因性老化リパーゼ遺伝子の発現阻害させる；
を含んでなる方法。
【請求項３７】  植物中の年齢に関係する老化及び環境的ストレスに関係する老化を変更する方法であって：
（１）請求項８又は９に記載のベクターを植物ゲノムに組み込み；そして
（２）当該植物を成長させ、これにより前記アンチセンスオリゴ−又はポリヌクレオチドを転写させて内因性誘導リパーゼ遺伝子に結合させることで当該老化誘導リパーゼの発現を阻害する、
ことを含んでなる方法。
【請求項３８】  種子の加齢を阻害する方法であって：
（１）請求項８又は９に記載のベクターを植物ゲノムに組み込み；そして
（２）当該植物を成長させ、これにより前記アンチセンスオリゴ−又はポリヌクレオチドを転写させて内因性誘導リパーゼ遺伝子に結合させることで当該老化誘導リパーゼの発現を阻害する、
ことを含んでなる方法。
【請求項３９】  請求項６〜１５のいずれか１項に記載のベクターで形質転換された細菌細胞。
【請求項４０】  請求項６〜１５のいずれか１項に記載のベクターで形質転換された植物細胞。
【請求項４１】  請求項６〜１５のいずれか１項に記載のベクターを含んでなる、請求項６〜１５のいずれか１項に記載のベクターで形質転換された細菌細胞から発生した植物、植物の部分または植物の子孫。
【請求項４２】  請求項６〜１５のいずれか１項に記載のベクターを含んでなるトランスジェニック植物細胞。
【請求項４３】  原核生物の宿主において機能的である複製系と、請求項１６〜２２のいずれか１項に記載のアンチセンスオリゴヌクレオチドまたはポリヌクレオチドとを含んでなるプラスミド。
【請求項４４】  アグロバクテリウム（Agrobacterium）において機能的である複製系と、請求項１６〜２２のいずれか１項に記載のアンチセンスオリゴヌクレオチドまたはポリヌクレオチドとを含んでなるプラスミド。
【請求項４５】  植物がトマトである、請求項４１に記載の植物及び子孫。
【請求項４６】  植物がカーネーションである、請求項４１に記載の植物及び子孫。